(57)【要約】【課題】容器内の内容物を、きめの細かいクリーミーな泡として安定的に噴出させる噴出器を提案する。【解決手段】外表面に起立させた中空頸部を有し容器の口部に固定保持されるベースキャップと、このベースキャップの背面に固定保持され容器内の内容物と外気とをそれぞれ個別に吸引、加圧して排出する２つの排出経路を有するポンプと、このポンプの各排出経路をその出側で合流させる合流空間を区画形成するとともに、該ベースキャップの中空頸部をガイドにした押込みとその解除による復帰動作にてポンプを作動させ、各排出経路を経て排出させた内容物及び外気をそれぞれ合流空間内で相互に混合、発泡部材を経て泡にして外部に噴出させるノズル付きの押圧ヘッドとを備えた泡噴出器において、前記ポンプと押圧ヘッドの相互間に、ポンプの２つの排出経路のそれぞれにつながる開口を有し、押圧ヘッドの押込みに際してのみ該開口を開放する逆流防止用のソケットを設ける。【選択図】　　　　図１
2004121889.tif 000002
【特許請求の範囲】
【請求項１】
外表面に起立させた中空頸部を有し容器の口部に固定保持されるベースキャップと、このベースキャップの背面に固定保持され容器内の内容物と空気とをそれぞれ個別に吸引、加圧して排出する２つの排出経路を有するポンプと、このポンプの各排出経路をその出側で合流させる合流空間を区画形成するとともに、該ベースキャップの中空頸部をガイドにした押込みとその解除による復帰動作にてポンプを作動させ、各排出経路を経て排出させた内容物及び空気をそれぞれ合流空間内で相互に混合、発泡部材を経て泡状にして外部に噴出させるノズル付きの押圧ヘッドとを備えた泡噴出器であって、
前記ポンプと押圧ヘッドの相互間に、ポンプの２つの排出経路のそれぞれにつながる開口を有し、押圧ヘッドの押込みに際してのみ該開口を開放する逆流防止用のソケットを設けたことを特徴とする泡噴出器。
【請求項２】
ソケットはポンプの中空ステムの内側に空気排出経路に連通する開口を残して嵌合する下流嵌合部と押圧ヘッドの中空ロッドの内側に嵌合する上流嵌合部からなる本体部分と、この本体部分に設けられポンプの２つの排出経路につながる開口をそれぞれ取り囲む弁座と、この弁座に適合して該開口を閉塞させるボール状の弁体からなる、請求項１記載の泡噴出器。
【請求項３】
ポンプの排出経路のうち、空気を排出する排出経路につながる開口は、弁体が弁座に適合した閉塞状態にて該弁体に接触するかもしくは極僅かな隙間を隔ててそれを取り囲む環状隔壁を有する請求項２記載の泡噴出器。
【発明の詳細な説明】
【０００１】
【発明の属する技術分野】
本発明は、例えば洗顔料や整髪剤等をきめの細かい泡にして噴出させるのに好適な化粧品、トイレタリー、食品その他の各分野で使用される泡噴出器に関するものである。
【０００２】
【従来の技術】
洗顔料あるいは整髪剤等を充填した容器では、内容物の泡立て動作を省略して簡便な利用を図る観点から内容物を泡にして排出することができる泡噴出器を備えたものがある。
【０００３】
かかる泡噴出器は、容器の口部に固定保持されるベースキャップに、内容物の吸引、加圧、排出を行うピストンと、空気の吸引、加圧、排出を行うピストンをそれぞれ同心の直列配置にして組み入れた単一のシリンダからなるポンプが設けられており、該ベースキャップの表面に設置したノズル付きの押圧ヘッドを押し込んでポンプ内の各ピストンを作動させ、内容物と空気をそれぞれ各シリンダ内で吸引、加圧してポンプ出側の合流空間で相互に混合し、メッシュリング等の発泡部材を通すことで内容物を泡状にして外部に噴出させる構造になっている（例えば、特許文献１参照）。
【０００４】
【特許文献１】
特開平７−３１５４６３号公報。
【０００５】
ところで、従来の泡噴出器は、押圧ヘッドの押込みによる内容物の噴出動作を停止した状態においてノズル内に残存する内容物が空気の排出経路を伝わってシリンダ内に入り込み、そこに内容物が溜まってしまう可能性がある。
【０００６】
ノズル内に残存する内容物がシリンダ内に溜まってしまうと、シリンダの容量が変わることからポンプ出側の合流空間における内容物と空気との混合割合が変化しきめの細かい泡として内容物を排出することができない場合もあってその解決が求められている。
【０００７】
【発明が解決しようとする課題】
本発明の課題は、ノズル内に残存する内容物の逆流を防止し、内容物をきめの細かい泡にして安定的に噴出できる新規な泡噴出器を提案するところにある。
【０００８】
【課題を解決するための手段】
本発明は、外表面に起立させた中空頸部を有し容器の口部に固定保持されるベースキャップと、このベースキャップの背面に固定保持され容器内の内容物と外気とをそれぞれ個別に吸引、加圧して排出する２つの排出経路を有するポンプと、このポンプの各排出経路をその出側で合流させる合流空間を区画形成するとともに、該ベースキャップの中空頸部をガイドにした押込みとその解除による復帰動作にてポンプを作動させ、各排出経路を経て排出させた内容物及び外気をそれぞれ合流空間内で相互に混合、発泡部材を経て泡状にして外部に噴出させるノズル付きの押圧ヘッドとを備えた泡噴出器であって、
前記ポンプと押圧ヘッドの相互間に、ポンプの２つの排出経路のそれぞれにつながる開口を有し、押圧ヘッドの押込みに際してのみ該開口を開放する逆流防止用のソケットを設けたことを特徴とする泡噴出器である。
【０００９】
上記の構成になる泡噴出器において、ソケットはポンプの中空ステムの内側に外気の排出経路に連通する開口を残して嵌合する下流嵌合部と押圧ヘッドの中空ロッドの内側に嵌合する上流嵌合部からなる本体部分と、この本体部分に設けられポンプの２つの排出経路につながる開口をそれぞれ取り囲む弁座と、この弁座に適合して該開口を閉塞させるボール状の弁体からなるものとするのが好ましい。
【００１０】
ポンプの排出経路のうち、外気を排出する排出経路につながる開口には、弁体が弁座に適合した閉塞状態にて該弁体に接触するかもしくは極僅かな隙間を隔ててそれを取り囲む環状隔壁を設けるのがよい。
【００１１】
【発明の実施の形態】
以下、図面を用いて本発明をより具体的に説明する。
【００１２】
図１は本発明に従う泡噴出器の実施の形態をその断面で示した図であり、１は容器の口部にねじ止めやアンダーカットの如き係合手段によって固定保持されるベースキャップである。このベースキャップ１はその外表面において起立させた中空頸部１ａが設けられている。
【００１３】
また、２はベースキャップ１の背面に固定保持され容器の口部内で垂下されるポンプである。このポンプ２は、容器内の内容物を吸引する吸引管３に連結する開口ｈを有する小径筒部２ａと、この小径筒部２ａに直列につながる大径筒部２ｂとを組み合わせた単一のシリンダＳからなり、シリンダＳの小径筒部２ａには、その内部において摺動可能なピストン２ｃと、このピストン２ｃを弾性支持するスプリング２ｄと、先端に弁体を有するポペット２ｅと、このポペット２ｅの弁体に係合する弁座を有しその先端でピストン２ｃを押圧する中空ステム２ｆが配置され、これによって内容物の吸引、加圧、排出機構が構成されている。また、大径筒部２ｂには、中空ステム２ｆの移動開始と若干の時間差をもって移動開始するとともに該中空ステム２ｆの移動に合わせてその内部で摺動可能なピストン２ｇが配置されていて、これによって空気の吸引、加圧、排出機構が構成され、小径筒部２ａにおいて吸引、加圧された内容物は図中の矢印に従う排出経路Ａに沿ってポンプの出側（中空ステム２ｆの最上端）に排出される一方、大径筒部２ｂにおいて吸引、加圧された空気は図中の矢印に従う排出経路Ｂに沿ってポンプ２の出側に排出される。
【００１４】
４はピストン２ｇに設けられ該ピストン２ｂの吸気のときにのみ開口する弁、５はノズル付きの押圧ヘッドである。この押圧ヘッド５は中空ステム２ｆの後端部とピストン２ｇの後端部に接触してそれらの押圧を可能とするとともにノズルと中空ステム２ｆを相互につなぐ通路を有しその通路内で内容物と空気の合流空間Ｐを区画形成する中空ロッド５ａを備えており、中空ロッド５ａの外側には、その相互間でベースキャップ１の中空頸部１ａのガイド溝５ｂを形成する環状隔５ｃが設けられている。
【００１５】
６は押圧ヘッド５の通路内に配置されるジェットリング、７はジェットリング６に隣接配置され空気が混在した内容物を泡にする発泡部材（メッシュリング）、そして８はポンプ２と押圧ヘッド５の相互間に配置される逆流防止用のソケットである。
【００１６】
ソケット８はそれのみを取り出して図２（ａ）〜（ｄ）に示すように、ポンプ２の中空ステム２ｆの内側に空気の排出経路Ｂに連通する開口ｔを残して液密状態にて嵌合する下流嵌合部８ａと押圧ヘッド５の中空ロッド５ａの内側にやはり液密状態で嵌合する上流嵌合部８ｂとにて構成された本体部分からなっており、この本体部分にはポンプ２の２つの排出経路Ａ、Ｂにつながる開口８ｃ、８ｄと、各開口８ｃ、８ｄをそれぞれ取り囲む弁座８ｅと、この弁座８ｅに適合して開口８ｃ、８ｄを閉塞させるボール状の弁体８ｆが設けられている。また、９は弁体８ｆが弁座８ｅに適合した状態で該弁体８ｆに接触もしくは極僅かな隙間を隔てて開口８ｄを取り囲むように設けられた環状隔壁である。
【００１７】
図３は、一般的な構造になる泡噴出器の断面を示したものであり、かかる構造の噴出器は、ポンプ２の中空ステム２ｆの端部と押圧ヘッド５の中空ロッド５ａの相互間に空気を排出する排出口１０が設けられており、押圧ヘッド５の押込みによる内容物の排出動作を停止した状態では、逆止弁１１の上流側の通路に残存する内容物が矢印Ｃに示すような経路を通って大径筒部２ｂ内に流れていき、ここに内容物が溜まってしまうのが避けられない。
【００１８】
本発明に従う泡噴出器は、ポンプ２と押圧ヘッド５の相互間に内容物を噴出させるときにのみ開口８ｃ、８ｄを開放するソケット８を設けたので、押圧ヘッド５の通路内に内容物が残存していても該内容物が排出経路Ｂを経て大径筒部２ｂに流れ込むことはなく、従って内容物と空気の混合割合を常に一定に維持することが可能であり、きめの細かいクリーミーな泡を安定的に噴出させることができる。
【００１９】
図４は上掲図１に示した噴出器において押圧ヘッド５を押し込んだ状態を示したものであり、この状態で押圧力を解除すると、スプリング２ｄの復元力によりピストン２ｃ、中空ステム２ｆ、押圧ヘッド５、ピストン２ｇがそれぞれ押し戻され、この時、小径筒部２ａ内は負圧になるため吸引管３及び開口ｈを通して該小径筒部２ａ内に内容物が吸引され、大径筒部２ｂは吸気経路Ｄを通してその内部に空気が導入される。
【００２０】
押圧ヘッド５が図１に示すような初期状態に復帰したのち、再度、押圧ヘッド５を押し込むと、小径筒部２ａ内は加圧され所定の圧力に達するとポペット２ｅの弁体が開となり内容物が排出経路Ａを通りポンプ２の出側における合流空間Ｐへと排出される一方、大径筒部２ｂ内の空気は排出経路Ｂを通ってやはり合流空間Ｐへと排出されて気液混合状態でジェットリング６、発泡部材７を通り内容物が泡となってノズルから外部へと噴出され、このような押圧ヘッド５の押込みとその復帰動作により内容物は泡となって連続的に噴出される。
【００２１】
本発明では、ソケット８にボール状の弁体８ｆを設けて開口８ｃ、８ｄを閉塞させるようにしたが、該開口８ｃ、８ｄを確実に閉塞させることができるものであれば種々の構造のものを適用することが可能であり、ボール状の弁体のみ限定されない。
【００２２】
また、ソケット８に環状隔壁９を設けることにより、空気を排出する開口８ｄが２重にシールされた状態になるのでシール効果がより一層高まる。
【００２３】
【発明の効果】
本発明によれば、内容物の噴出経路内に残留した内容物が空気の排出経路を伝わって大径筒部内に入り込むことがないので、常に一定の混合割合で内容物と空気を混合させることが可能であり、きめの細かい泡を安定的に噴出させることができる。
【図面の簡単な説明】
【図１】本発明に従う泡噴出器の実施の形態を示した図である。
【図２】（ａ）〜（ｄ）はソケットの正面図、平面図、底面図及びＸ−Ｘ、Ｙ−Ｙ断面を示したである。
【図３】一般的な泡噴出器の構成を示した図である。
【図４】本発明に従う噴出器の作動状態の説明図である。
【符号の説明】
１　ベースキャップ
１ａ　中空頸部
２　ポンプ
２ａ　小径筒部
２ｂ　大径筒部
２ｃ　ピストン
２ｄ　スプリング
２ｅ　ポペット
２ｆ　中空ステム
２ｇ　ピストン
３　吸引管
４　弁
５　押圧ヘッド
５ａ　中空ロッド
５ｂ　ガイド溝
５ｃ　環状壁
６　ジェットリング
７　発泡部材（メッシュリング）
８　ソケット
８ａ　下流嵌合部
８ｂ　上流嵌合部
８ｃ　開口
８ｄ　開口
８ｅ　弁座
８ｆ　弁体
９　環状隔壁
１０　排出口
１１　逆止弁
Ｓ　シリンダ
Ａ　排出経路
Ｂ　排出経路
Ｐ　合流空間
【図１】
2004121889.tif 000003
【図２】
2004121889.tif 000004
【図３】
2004121889.tif 000005
【図４】
2004121889.tif 000006